(57)【要約】【課題】簡易な構成で、太陽光の遮断、および太陽熱の蓄熱と蓄熱した熱の屋内側への放出ができると共に、屋内側から屋外側への熱の逃げの抑制効果の向上を図ることができ、さらにインテリア性の高い蓄熱機能を備える建具の提供。【解決手段】支持体２は、開口部１６を有し、屋内の天井面と床面との間の距離に対応する高さを有する。回転体３は、断熱性を有する断熱部１９と蓄熱性を有する蓄熱部２０とが互いに重ね合わされた状態で、開口部１６内において支持体２に回転可能に設けられる。気密材４は、弾性変形可能な部材とされ、開口部１６の壁面２８に突出して設けられる。一方、回転体３の外側面２９には、戸当り材３１が設けられる。これにより、開口部１６の壁面２８と回転体３の外側面２９とを気密に接触させることができる。【選択図】図４
2016030964.tif 000002
【特許請求の範囲】
【請求項１】
開口部を有する枠状に形成される支持体と、
前記開口部を塞ぐ平板状に形成されて前記開口部内に配置され、断熱性を有する断熱部と蓄熱性を有する蓄熱部とを有し、前記断熱部と前記蓄熱部とが互いに板面同士が重ね合わされており、前記板面と平行な軸まわりに回転可能に前記支持体に設けられる回転体と、
前記回転体が前記開口部を塞いだ状態において、前記開口部の前記軸を挟んだ両端部において、前記開口部の壁面と前記回転体の外側面とを気密に接触させる弾性変形可能な気密材と
を備えることを特徴とする蓄熱機能を備える建具。
【請求項２】
前記開口部の前記壁面と前記回転体の前記外側面との内、少なくとも一方が磁力を有しており、この磁力により互いに引き合う
ことを特徴とする請求項１に記載の蓄熱機能を備える建具。
【請求項３】
前記断熱部および前記蓄熱部は、透光性を有する
ことを特徴とする請求項１または請求項２に記載の蓄熱機能を備える建具。
【発明の詳細な説明】
【技術分野】
【０００１】
本発明は、建具、特に太陽熱の蓄熱機能を備える建具に関するものである。
【背景技術】
【０００２】
下記特許文献１には、スラットが表裏反転可能なブラインドにおいて、そのスラットの片面が蓄熱層とされる一方、他面が断熱層とされる蓄熱ブラインドが開示されている。特許文献１に記載の発明では、太陽光線から得られる熱を蓄熱層で蓄熱後、蓄熱層を室内に向けることで、断熱層により室内からの放射冷却を防止しつつ、室内に熱を放出することができる。
【０００３】
また、下記特許文献２には、蓄熱体と断熱部材とが重ね合わされた積層体が枠体に反転可能に支持され、積層体よりも室内側に開閉断熱部材が設けられた太陽熱蓄熱装置が開示されている。特許文献２に記載の発明では、開閉断熱部材を開いた状態または閉じた状態において蓄熱体を室外側へ向けて蓄熱した後、積層体を反転させて、蓄熱体を室内側へ向けて熱を放出できる。
【先行技術文献】
【特許文献】
【０００４】
【特許文献１】特開平５−１７１８８１号公報
【特許文献２】特開２０１３−２３９７７号公報
【発明の概要】
【発明が解決しようとする課題】
【０００５】
しかしながら、特許文献１に記載の発明では、蓄熱層を室内に向けた状態でのスラット同士が気密に接触する構成ではないため、スラット同士の隙間から熱が逃げることになってしまう。また、ブラインドは、スラットの回転により光の入射を調整する機能上、スラット自身の厚みをあまり厚くすることができず、結果蓄熱層の厚みに限界が生じる。さらに、ブラインドは、窓に設けられる通常のものであり、インパクトや斬新さに欠けるものである。
【０００６】
また、特許文献２に記載の発明では、枠体に積層体が気密に支持される構成ではないため、蓄熱体を室外側へ向けて蓄熱する際、開閉断熱部材を閉じておかなければ、室内へ照射される太陽光を遮断することができない。すなわち、積層体のみでは、蓄熱時において、積層体と枠体との間の隙間を介して太陽光が室内に差し込まれ、室内の温度上昇をまねいてしまうおそれがある。一方、蓄熱体を室内側へ向けて熱を放出する際においても、枠体に積層体が気密に支持されていないため、室外へ熱が逃げて、室内の温度の低下をまねいてしまうおそれがある。また、太陽熱蓄熱装置は、それを設置することによる室内の調和について十分考慮された構成ではなく、インテリア性の低いものである。
【０００７】
本発明が解決しようとする課題は、簡易な構成で、太陽光の遮断、および太陽熱の十分な蓄熱と蓄熱した熱の屋内側への放出ができると共に、屋内側から屋外側への熱の逃げの抑制効果の向上を図ることができ、さらにインテリア性の高い蓄熱機能を備える建具を提供することにある。
【課題を解決するための手段】
【０００８】
本発明は、前記課題を解決するためになされたもので、請求項１に記載の発明は、開口部を有する枠状に形成される支持体と、前記開口部を塞ぐ平板状に形成されて前記開口部内に配置され、断熱性を有する断熱部と蓄熱性を有する蓄熱部とを有し、前記断熱部と前記蓄熱部とが互いに板面同士が重ね合わされており、前記板面と平行な軸まわりに回転可能に前記支持体に設けられる回転体と、前記回転体が前記開口部を塞いだ状態において、前記開口部の前記軸を挟んだ両端部において、前記開口部の壁面と前記回転体の外側面とを気密に接触させる弾性変形可能な気密材とを備えることを特徴とする蓄熱機能を備える建具である。
【０００９】
請求項２に記載の発明は、前記開口部の前記壁面と前記回転体の前記外側面との内、少なくとも一方が磁力を有しており、この磁力により互いに引き合うことを特徴とする請求項１に記載の蓄熱機能を備える建具である。
【００１０】
さらに、請求項３に記載の発明は、前記断熱部および前記蓄熱部は、透光性を有することを特徴とする請求項１または請求項２に記載の蓄熱機能を備える建具である。
【発明の効果】
【００１１】
請求項１に記載の発明によれば、開口部の壁面と回転体の外側面とが気密材により気密に接触されることで、蓄熱部が屋外側へ向けられて蓄熱されている際、開口部の壁面と回転体の外側面との間の隙間を介して太陽光が差し込むことを防止できる。また、蓄熱部が屋内側へ向けられて熱放出されている際には、断熱部が屋外側へ向けられることに加えて、開口部の壁面と回転体の外側面との間の隙間を介して、熱が屋内側から屋外側へ逃げることが防止できるため、熱の逃げをより確実に抑制することができる。このように、簡易な構成で、太陽光を遮断することができ、屋内側から屋外側への熱の逃げを抑制することができる。さらに、前述したように一種の間仕切りのようなものなので、部屋と調和しつつ、屋内のインテリア性を高めることができる。
【００１２】
請求項２に記載の発明によれば、開口部の壁面と回転体の外側面とが気密材を介して気密に接触されることに加えて、開口部の壁面と回転体の外側面とが磁力により互いに引き合うことで、回転体の不意の回転を抑制することができると共に、支持体と回転体との気密性をより向上させることができる。
【００１３】
さらに、請求項３に記載の発明によれば、断熱部と蓄熱部とが透光性を有することで、建具を介して差し込む日射を適度に遮断することができる。すなわち、柔らかな光を差し込ませることができ、これにより、屋内のインテリア性をより高めることができる。
【図面の簡単な説明】
【００１４】
【図１】本発明の蓄熱機能を備える建具の一実施例の使用状態を示す概略斜視図である。
【図２】図１の建具の使用状態を示す正面図である。
【図３】図１の建具の概略縦断面図である。
【図４】図１の建具の概略横断面図である。
【図５】図１の建具の概略斜視図であり、回転体の回転途中を示している。
【図６】図１の建具の概略横断面図であり、図４の状態から回転体を１８０°回転させた状態を示している。
【発明を実施するための形態】
【００１５】
以下、本発明の具体的実施例を図面に基づいて詳細に説明する。
【００１６】
図１から図４は、本発明の蓄熱機能を備える建具の一実施例を示す概略図であり、図１は使用状態を示す斜視図、図２は使用状態を示す屋内側から見た正面図、図３は縦断面図、図４は横断面図でその一部を拡大して示している。本実施例の蓄熱機能を備える建具１は、枠状の支持体２と、支持体２に回転可能に設けられる回転体３と、支持体２と回転体３とを気密に接触させる気密材４とを備える。
【００１７】
支持体２は、左右方向へ離隔して配置される外縦框５，５と、上下方向へ離隔して配置される外横框６，６と、外横框６，６間に配置される中桟７とを有する。ここで、左右の外縦框５，５は、左右対称の部材であり、以下では左側に配置される外縦框５について説明する。また、上下の外横框６，６は、上下対称の部材であり、以下では上側に配置される外横框６について説明する。
【００１８】
左側に配置される外縦框５は、横断面が中空の矩形状に形成され、上下方向へ沿って設けられる。この外縦框５の上下長さは、屋内の天井面と床面との間の距離ａに対応している。左側に配置される外縦框５は、左側面に左方へ開口する断面矩形状の凹部８が上下方向へ沿って形成されると共に、左側面の前後両端部から左方へ延出して横板部９，９が形成される。各横板部９は、板状とされ、左方へ延出した後に内側へ延出して形成される。この板状の各横板部９は、左側面の前後両端部に上下方向へ沿って形成される。また、左側に配置される外縦框５の右側面には、右方へ開口する断面矩形状の凹部１０が上下方向へ沿って形成される。
【００１９】
なお、左側に配置される外縦框５には、隣接する建具１，１同士を接続する弾性変形可能な棒状の接続部材１１が上下方向へ沿って設けられる。接続部材１１は、各横板部９よりも左方へ突出するようにして、左方へ開口する凹部８に固定される。接続部材１１の左方への突出部は、隣接する建具１の右側に配置される外縦框５の横板部９，９間にはめ込まれる。これにより、隣接する建具１，１同士を気密に接続することができる。
【００２０】
上側に配置される外横框６は、縦断面が中空の矩形状に形成され、左右方向へ沿って設けられる。上側に配置される外横框６は、上面の前後両端部から上方へ延出して縦板部１２，１２が形成されると共に、下面の前後両端部から下方へ延出して縦板部１３，１３が形成される。縦板部１２および縦板部１３は、板状とされ、左右方向へ沿って形成される。上側に配置される外横框６により外縦框５の上端部同士が接続されると共に、下側に配置される外横框６により外縦框５の下端部同士が接続される。これにより、支持体２が矩形枠状に形成される。
【００２１】
中桟７は、縦断面が中空の矩形状に形成され、左右方向へ沿って設けられる。中桟７は、上面の前後両端部から上方へ延出して縦板部１４，１４が形成されると共に、下面の前後両端部から下方へ延出して縦板部１５，１５が形成される。縦板部１４および縦板部１５は、板状とされ、左右方向へ沿って形成される。中桟７は、外縦框５，５間において、上下方向中央部よりも下部側に、外縦框５，５間を架け渡すように設けられる。これにより、支持体２には、矩形状の開口部１６が上下２箇所に形成される。
【００２２】
回転体３は、支持体２に形成された前記開口部１６内においてそれぞれ、支持体２に回転可能に設けられる。上側の開口部１６内に配置される回転体３と下側の開口部１６内に配置される回転体３とは、上下長さが異なるだけで、その他の構成は同様である。以下では、上側の開口部１６内に配置される回転体３について説明する。
【００２３】
上側の開口部１６内に配置される回転体３は、左右方向へ離隔して配置される内縦框１７，１７と、上下方向へ離隔して配置される内横框１８，１８と、断熱性を有する板状の断熱部１９と、蓄熱性を有する板状の蓄熱部２０とを有する。ここで、左右の内縦框１７，１７は、左右対称の部材であり、以下では左側に配置される内縦框１７について説明する。また、上下の内横框１８，１８は、上下対称の部材であり、以下では上側に配置される内横框１８について説明する。
【００２４】
左側に配置される内縦框１７は、横断面が中空の矩形状に形成され、上下方向へ沿って設けられる。この内縦框１７の上下長さは、開口部１６の上下長さに対応している。左側に配置される内縦框１７は、左側面に左方へ開口する断面矩形状の凹部２１が上下方向へ沿って形成される一方、右側面の前後両端部から右方へ延出して横板部２２，２２が形成される。各横板部２２は、板状とされ、右側面の前後両端部に上下方向へ沿って形成される。
【００２５】
上側に配置される内横框１８は、縦断面が中空の矩形状に形成され、左右方向へ沿って設けられる。この内横框１８の左右長さは、内縦框１７がそれぞれ開口部１６の左右両端部に配置された状態において、内縦框１７，１７間を架け渡すことができる長さとされる。上側に配置される内横框１８は、上面の前後両端部から上方へ延出して縦板部２３，２３が形成されると共に、下面の前後両端部から下方へ延出して縦板部２４，２４が形成される。縦板部２３および縦板部２４は、板状とされ、左右方向へ沿って形成される。
【００２６】
断熱部１９は、矩形板状に形成され、上下長さおよび左右長さは、内縦框１７および内横框１８により形成される枠内に納まる長さとされる。断熱部１９の厚さは、内縦框１７の横板部２２，２２間、上側に配置される内横框１８の下方へ延出した縦板部２４，２４間および下側に配置される内横框１８の上方へ延出した縦板部２４，２４間の離隔距離の約半分とされる。断熱部１９は、たとえば、硬質ウレタンなどの発泡樹脂や、グラスウールやその他の一般的な断熱材料により形成される。本実施例では、断熱部１９は、無色透光性を有する素材から形成される。
【００２７】
蓄熱部２０は、矩形板状に形成され、上下長さおよび左右長さは、内縦框１７および内横框１８により形成される枠内に納まる長さとされる。蓄熱部２０の厚さは、内縦框１７の横板部２２，２２間、上側に配置される内横框１８の下方へ延出した縦板部２４，２４間および下側に配置される内横框１８の上方へ延出した縦板部２４，２４間の離隔距離の約半分とされる。蓄熱部２０は、物質の相変化などに伴う潜熱を利用した潜熱蓄熱材などで構成される。たとえば、結晶水を含む無機水和物、無機系共晶物、パラフィンやワックスなどの炭化水素化合物、芳香族炭化水素化合物、脂肪酸類、エステル化合物およびアルコール類などの化合物などによって構成される。本実施例では、蓄熱部２０は、無色透光性を有する素材から形成される。
【００２８】
断熱部１９と蓄熱部２０とは、互いに対向して配置される。本実施例では、断熱部１９と蓄熱部２０とが互いに板面同士が重ね合わされた状態において、上縁部が上側に配置される内横框１８の下方へ延出した縦板部２４，２４間に挟み込まれ、下縁部が下側に配置される内横框１８の上方へ延出した縦板部２４，２４間に挟み込まれる。また、左縁部が左側に配置される内縦框１７の横板部２２，２２間に挟み込まれ、右縁部が右側に配置される内縦框１７の横板部２２，２２間に挟み込まれる。この際、上下に配置される内横框１８，１８は、左右に配置される内縦框１７，１７間を架け渡すように設けられる。このようにして、支持体２に形成された各開口部１６を塞ぐ平板状の回転体３が形成される。
【００２９】
図３に示されるように、回転体３は、上側に配置される内横框１８の上面の左右方向中央部に上方へ突出して軸部２５が設けられると共に、下側に配置される内横框１８の下面の左右方向中央部に下方へ突出して軸部２５が設けられる。一方、上側に配置される外横框６の下面、中桟７の上下面および下側に配置される外横框６の上面には、軸部２５に対応して、円筒状の軸受保持部２６が上下方向へ沿って設けられる。各軸受保持部２６内には、円筒状の軸受２７がはめ込まれて設けられる。回転体３は、軸受２７に軸部２５が保持されることで、開口部１６内において支持体２に回転可能に保持される。すなわち、回転体３は、断熱部１９および蓄熱部２０と平行な軸まわりに回転可能とされ、１８０°回転させることで、断熱部１９と蓄熱部２０との向きを逆にすることができる。
【００３０】
気密材４は、開口部１６の左右の壁面２８，２８と回転体３の内縦框１７の左右の外側面２９，２９とを気密に接触させる弾性変形可能なゴム製の部材であり、本実施例では、各開口部１６の左右の壁面２８，２８、すなわち左右の外縦框５，５に設けられる。ここで、左右の外縦框５，５に設けられる気密材４は、左右対称の部材であり、上下の開口部１６，１６の壁面２８に設けられる気密材４は、上下長さが異なる他は同様の構成であるので、以下では上側の開口部１６の左側に配置される外縦框５に設けられる気密材４について説明する。
【００３１】
上側の開口部１６の左側に配置される気密材４は、断面が略かまぼこ状に形成され、開口部１６の左壁面２８に上下方向へ沿って設けられる。具体的には、気密材４は、左側の外縦框５の右方へ開口する凹部１０にはめ込まれて固定される。この際、気密材４は、右端部が凹部１０から右方へ突出している。本実施例では、気密材４の内部に、磁石３０が収容される。磁石３０は、板状に形成され、気密材４の左右方向中央部よりも右側に、上下方向へ沿って複数設けられる。
【００３２】
一方、回転体３の内縦框１７には、戸当り材３１が設けられる。本実施例では、戸当り材３１は、基台部３２と、磁石３０に吸着する金属製の気密接触部３３とを有する。ここで、左右の内縦框１７，１７に設けられる戸当り材３１は、左右対称の部材であり、上下の回転体３，３に設けられる戸当り材３１は、上下長さが異なる他は同様の構成であるので、以下では上側の回転体３の左側に配置される内縦框１７に設けられる戸当り材３１について説明する。
【００３３】
上側の回転体３の左側に配置される戸当り材３１は、角棒状の基台部３２と、鉄製の板状の気密接触部３３とを有する。基台部３２は、上下方向へ沿って配置され、その左側面には、気密接触部３３が重ね合わされて、接着剤などで固定される。このような戸当り材３１は、気密接触部３３が凹部２１の開口側に位置されるように、上側の回転体３の左側に配置される内縦框１７の凹部２１の底部に固定される。この際、気密接触部３３は、内縦框１７の左側面（外側面２９）とほぼ面一とされる。
【００３４】
このようにして気密材４と戸当り材３１とが設けられることで、回転体３が開口部１６を閉じた際に、回転体３に設けられる戸当り材３１が、外縦框５に設けられる気密材４に接触される。これにより、支持体２の外縦框５と回転体３の内縦框１７とを気密に接触させることができる。さらに、戸当り材３１の鉄製の気密接触部３３と気密材４に収容された磁石３０とが互いに引き合うことで、気密性をより向上させることができる。なお、支持体２の外縦框５と回転体３の内縦框１７とが気密に接触されることから、これが、回転体３の支持体２に対するストッパーの役割も果たすことになる。これにより、回転体３が不意に回転することを防止できる。
【００３５】
次に、本実施例の建具１の使用について説明する。図１に示されるように、屋内の天井面には、窓３４から離れた位置において、屋内の左右の側壁を接続するよう左右方向へ沿ってレール３５が設けられる。このレール３５に、それに沿って左右へスライド可能に、建具１が吊り下げられる。具体的には、図２および図３に示されるように、建具１の支持体２において上側に配置される外横框６には、左右へ離隔してローラ３６，３６が設けられており、このローラ３６がレール３５に保持される。一方、屋内の床面にも、天井面のレール３５に対応するようにして、レール３７が設けられる。このレール３７内には、下側に配置される外横框６に下方へ突出して設けられるガイド部材３８がスライド可能とされる。従って、レール３５に沿ってローラ３６が回転すると共に、ガイド部材３８がレール３７に沿ってスライドしつつ、建具１が左右にスライド可能とされる。なお、本実施例では、レール３５，３７は、窓３４から屋内側へ約１ｍの位置に設けられる。
【００３６】
また、本実施例では、レール３５，３７の右端部は二又に分岐されており、この二又部では、前側のレール３５に一方のローラ３６が保持されると共に、後側のレール３５に他方のローラ３６が保持されて、建具１が左右にスライド可能とされる。屋内の右側壁には、左方へ開口する凹形状の建具収納部３９が形成されており、この建具収納部３９内までレール３５，３７が延出されている。従って、建具１は、互いに重ね合わせるようにして、建具収納部３９内に収納することができる。なお、本実施例では、部屋の後面開口部全体が窓３４とされ、各窓３４が屋内の上下高さに対応する高さを有している。
【００３７】
図１に示されるように、本実施例では、５枚の建具１が前述したようにレール３５に吊り下げられる。これらの建具１を互いに隣接するよう左右方向へ沿って並べることで、屋内空間は、窓３４のある空間４０と前記窓３４のない空間４１とに間仕切られる。この状態において、図４に示されるように、屋外側に蓄熱部２０を配置することで、蓄熱部２０で太陽熱を蓄熱することができる。この蓄熱は、太陽熱を効率的に蓄熱できるように、昼間に行うのが好ましい。
【００３８】
この場合、前述したように屋内空間が間仕切られているので、窓３４のない空間４１には、透光性を有する蓄熱部２０および断熱部１９を介して、やわらかな日差しが差し込まれる。従って、窓３４のない空間４１の温度の上昇を抑制することができる。さらに、隣接する建具１，１同士が接続部材１１により気密に接続され、回転体３と支持体２とが気密材４により気密に接触されることで、窓３４のない空間４１の温度の上昇をより抑制することができる。
【００３９】
そして、窓３４のない空間４１に、蓄熱部２０で蓄熱した熱を放出する場合には、回転体３を回転させればよい。窓３４のない空間４１への熱放出は、気温が下がる時間帯、たとえば夜間に行われる。図５は、図１の建具の概略斜視図であり、回転体の回転途中を示している。また、図６は、建具の概略横断面図であり、図４の状態から回転体を１８０°回転させた状態を示している。本実施例では、図６において反時計方向へ回転させているが、図６において時計方向へ回転させてもよい。
【００４０】
このようにして回転体３を１８０°回転させることで、屋内側に蓄熱部２０が配置される。この際、断熱部１９は、屋外側に配置される。従って、窓３４のない空間４１に蓄熱部２０から熱が放出され、窓３４のない空間４１の温度の下降を抑制することができる。この際、断熱部１９により、窓３４のない空間４１から外部へ熱が逃げるのを防止することができる。さらに、隣接する建具１，１同士が接続部材１１により気密に接続され、回転体３と支持体２とが気密材４により気密に接触されることで、窓３４のない空間４１の温度の下降をより抑制することができる。
【００４１】
本実施例の建具１によれば、屋内の天井面と床面との間の距離ａに対応する高さを有しているので、屋内を間仕切ることができ、太陽光が窓３４のない空間４１へ差し込むことを防止できる。これに加えて、支持体２と回転体３とが気密材４により気密に接触されることで、回転体３と支持体２との間の隙間４２を介して、太陽光が窓３４のない空間４１へ差し込むことを防止できる。なお、本実施例では、透光性を有する断熱部１９および蓄熱部２０を介して、柔らかな光が差し込むため、太陽光は適度に遮断されることになる。
【００４２】
また、本実施例の建具１によれば、前述したように開口部１６の壁面２８と回転体３の外側面２９とが気密材４によって気密に接触される。これにより、回転体３と支持体２との間の隙間４２を介して、窓３４のない空間４１から窓３４のある空間４０へ熱が逃げるのを防止することができる。これに加えて、本実施例の建具１によれば、前述したように開口部１６の壁面２８と回転体３の外側面２９とが磁力により互いに引き合うことで、回転体３と支持体２とをより気密に接触させることができる。
【００４３】
また、本実施例の建具１によれば、見た目は間仕切りなので、屋内にあっても違和感がなく、屋内のインテリア性を高めることができる。これに加えて、本実施例の建具１によれば、透光性を有する断熱部１９および蓄熱部２０を介して、柔らかな光を差し込ませることができることで、屋内のインテリア性をより高めることができる。さらに、本実施例の建具１によれば、気密材４により回転体３の不意の回転が防止できるため、ストッパーを別途設ける必要がなく、簡易な構成とすることができる。
【００４４】
本発明の建具は、前記実施例の構成に限らず、適宜変更可能である。たとえば、前記実施例では、板状の断熱部１９と板状の蓄熱部２０とを重ね合わせたが、これに限定されるものではなく、たとえば、一体化したパネルに断熱層と蓄熱層とを設けてもよいし、中空部を有するパネル内に蓄熱材と断熱材とを充填してもよい。また、前記実施例では、回転体３に戸当り材３１が設けられると共に、支持体２に気密材４が設けられたが、これとは逆に、回転体３に気密材４が設けられると共に、支持体２に戸当り材３１が設けられてもよい。
【００４５】
また、前記実施例では、気密材４に磁石３０が設けられると共に、戸当り材３１に気密接触部３３が設けられたが、これとは逆に、気密材４に気密接触部３３が設けられると共に、戸当り材３１に磁石３０が設けられてもよい。また、気密材４と戸当り材３１の両方に磁石を設け、その磁石同士が互いに引き合うようにしてもよい。すなわち、開口部１６の壁面２８と回転体３の外側面２９の内、少なくとも一方が磁力を有し、この磁力により互いが引き合う構成とすればよい。
【００４６】
また、前記実施例では、回転体３は、上下方向へ沿う軸まわりに回転可能とされたが、これに限定されるものではなく、たとえば、左右方向へ沿う軸まわりに回転可能としてもよい。この場合、左右に配置される内縦框１７，１７に軸部２５が設けられ、この軸部２５と対応するようにして、左右に配置される外縦框５に軸受２７が設けられる。そして、回転体３の内横框１８と支持体２の外横框６とが気密材４により気密に接触されると共に、回転体３の内横框１８と中桟７とが気密材４により気密に接触される。また、回転体３の不意の回転をより確実に防止できるように、別途ストッパーを設けてもよい。
【００４７】
また、前記実施例では、上下２つの回転体３を有する建具１としたが、これに限定されるものではなく、たとえば、上下どちらか一方の回転体３が回転しない建具としてもよい。すなわち、回転体３が開口部１６に回転不能に固定されていてもよい。この際、回転しない方の回転体３は、断熱部１９および蓄熱部２０に代えて、透光性を有するガラスなどが内縦框１７および内横框１８からなる枠内に配置される一方、回転する方の回転体３は、断熱部１９および蓄熱部２０を非透光性の部材で形成してもよい。また、前記実施例では、外縦框５、外横框６、内縦框１７、内横框１８および中桟７は、中空状の部材としたが、これに限定されるものではなく、中実状の部材でもよい。たとえば、木材（たとえば無垢材）としてもよい。
【００４８】
また、前記実施例では、断熱部１９および蓄熱部２０は、無色透光性を有する素材から形成されたが、有色透光性を有する素材から形成してもよい。これにより、窓３４のない空間４１への光を着色することができ、屋内の雰囲気を変えることができる。また、前記実施例では、屋内に設けられる建具１が５枚とされたが、これに限定されるものではなく、屋内を間仕切ることができればよい。さらに、支持体２の開口部１６の形状や数は、適宜に変更可能であることは言うまでもない。
【産業上の利用可能性】
【００４９】
本発明に係る建具は、太陽熱を用いて屋内の温度の低下を抑制することができる建具として好適に用いることができる。
【符号の説明】
【００５０】
１  建具
２  支持体
３  回転体
４  気密材
１６  開口部
１９  断熱部
２０  蓄熱部
２８  壁面
２９  外側面
３０  磁石
３１  戸当り材
【図１】
2016030964.tif 000003
【図２】
2016030964.tif 000004
【図３】
2016030964.tif 000005
【図４】
2016030964.tif 000006
【図５】
2016030964.tif 000007
【図６】
2016030964.tif 000008